(57)【要約】  アップリンク信号を検出するための方法は、アップリンク信号がマクロ基地局のアップリンク受信窓内で受信されるかどうかを、UEによって送信されたアップリンク信号に関する構成情報に従って、マイクロ基地局によって検出するステップであって、マクロ基地局およびマイクロ基地局が同期されたクロックレートを有し、マクロ基地局のアップリンク受信窓とマイクロ基地局のアップリンク受信窓との間に固定時間差t1が存在し、|t1|≧0であるステップと、アップリンク信号がマクロ基地局のアップリンク受信窓内で受信されないことを検出する場合、マイクロ基地局がマクロ基地局のアップリンク受信窓を少なくとも1サイクリックプレフィックスの長さだけ進ませた後、アップリンク信号をマイクロ基地局によって再び検出し、アップリンク信号をマクロ基地局に送信するステップとを含む。本発明の実施形態では、マクロ基地局によってサービスされ、マイクロ基地局のダウンリンクカバレージエリアの外側でかつマイクロ基地局のダウンリンクカバレージエリアの境界に位置するUEを含むUEのアップリンク信号が、効率的に検出され得る。
2015520998.tif 000002
【特許請求の範囲】
【請求項１】
アップリンク信号を検出するための方法であって、
アップリンク信号がマクロ基地局のアップリンク受信窓内で受信されるかどうかを、前記アップリンク信号を送信するためのユーザ機器の構成情報に従って、マイクロ基地局によって検出するステップであって、前記マクロ基地局および前記マイクロ基地局が同期されたクロックレートを有し、前記マクロ基地局の前記アップリンク受信窓と前記マイクロ基地局のアップリンク受信窓との間に固定時間差t1が存在し、|t1|≧0であるステップと、
前記アップリンク信号が前記マクロ基地局の前記アップリンク受信窓内で受信されないことが検出される場合、前記マイクロ基地局が前記マクロ基地局の前記アップリンク受信窓を少なくとも1サイクリックプレフィックスの長さだけ進ませた後、前記アップリンク信号を前記マイクロ基地局によって再び検出し、前記アップリンク信号を前記マクロ基地局に送信するステップとを含む、方法。
【請求項２】
前記マクロ基地局によって送信された前記構成情報を、前記マイクロ基地局によって受信するステップをさらに含み、前記アップリンク信号が前記マクロ基地局の前記アップリンク受信窓内で受信されるかどうかを検出するために、前記構成情報が使用される、請求項1に記載の方法。
【請求項３】
前記ユーザ機器が前記マクロ基地局によってサービスされ、前記ユーザ機器が、前記マイクロ基地局のダウンリンクカバレージエリアの外側でかつ前記マイクロ基地局の前記ダウンリンクカバレージエリアの境界に位置する、請求項1に記載の方法。
【請求項４】
前記アップリンク信号に関する前記構成情報が、少なくとも、前記アップリンク信号の送信周波数チャネルを含む、請求項1、2または3に記載の方法。
【請求項５】
前記アップリンク信号が、アップリンクサウンディング参照信号、アップリンクプリアンブル、またはアップリンク復調参照信号を含む、請求項1、2または3に記載の方法。
【請求項６】
アップリンク信号を検出するための方法であって、
マクロ基地局によって送信されるタイミングアドバンス更新メッセージをユーザ機器によって受信するステップであって、前記タイミングアドバンス更新メッセージが、前記マクロ基地局によって前記ユーザ機器に割り振られたタイミングアドバンスを、プリセットされたタイミングアドバンスに減少させるように命令するために使用されるステップと、
前記ユーザ機器が、前記マクロ基地局によって割り振られた前記タイミングアドバンスを、前記プリセットされたタイミングアドバンスに減少させた後、前記プリセットされたタイミングアドバンスに従ってアップリンク信号を、前記ユーザ機器によって送信するステップとを含み、それにより、マイクロ基地局が、前記アップリンク信号を送信するための前記ユーザ機器の構成情報に従って前記マクロ基地局のアップリンク受信窓内で前記アップリンク信号を検出して前記アップリンク信号を前記マクロ基地局に送信し、前記マクロ基地局および前記マイクロ基地局が同期されたクロックレートを有し、前記マクロ基地局の前記アップリンク受信窓と前記マイクロ基地局のアップリンク受信窓との間に固定時間差t1が存在し、|t1|≧0である、方法。
【請求項７】
前記ユーザ機器が前記マクロ基地局によってサービスされ、前記ユーザ機器が、前記マイクロ基地局のダウンリンクカバレージエリアの外側でかつ前記マイクロ基地局の前記ダウンリンクカバレージエリアの境界に位置する、請求項6に記載の方法。
【請求項８】
前記アップリンク信号に関する前記構成情報が、少なくとも、前記アップリンク信号の送信周波数チャネルを含む、請求項6に記載の方法。
【請求項９】
前記アップリンク信号が、アップリンクサウンディング参照信号、アップリンクプリアンブル、またはアップリンク復調参照信号を含む、請求項6、7または8に記載の方法。
【請求項１０】
マイクロ基地局内に適用される、アップリンク信号を検出するためのデバイスであって、
アップリンク信号がマクロ基地局のアップリンク受信窓内で受信されるかどうかを、前記アップリンク信号を送信するためのユーザ機器の構成情報に従って検出するように構成された検出ユニットであって、前記マクロ基地局および前記マイクロ基地局が同期されたクロックレートを有し、前記マクロ基地局の前記アップリンク受信窓と前記マイクロ基地局のアップリンク受信窓との間に固定時間差t1が存在し、|t1|≧0である、検出ユニットと、
前記アップリンク信号が前記マクロ基地局の前記アップリンク受信窓内で受信されないことを前記検出ユニットが検出すると、前記マクロ基地局の前記アップリンク受信窓を少なくとも1サイクリックプレフィックスの長さだけ進ませるように構成された制御ユニットであって、
前記制御ユニットが、前記マクロ基地局の前記アップリンク受信窓を少なくとも1サイクリックプレフィックスの前記長さだけ進ませた後、前記検出ユニットが前記アップリンク信号を再び検出するようにさらに構成される、制御ユニットと、
前記検出ユニットによって検出された前記アップリンク信号を前記マクロ基地局に送信するように構成された送信ユニットとを備える、デバイス。
【請求項１１】
前記マクロ基地局によって送信された前記構成情報を受信し、前記構成情報を前記検出ユニットに出力するように構成された受信ユニットをさらに備え、前記アップリンク信号が前記マクロ基地局の前記アップリンク受信窓内で受信されるかどうかを検出するために、前記構成情報が使用される、請求項10に記載のデバイス。
【請求項１２】
前記ユーザ機器が前記マクロ基地局によってサービスされ、前記ユーザ機器が、前記マイクロ基地局のダウンリンクカバレージエリアの外側でかつ前記マイクロ基地局の前記ダウンリンクカバレージエリアの境界に位置する、請求項10に記載のデバイス。
【請求項１３】
前記アップリンク信号を送信するための前記ユーザ機器の前記構成情報が、少なくとも、前記アップリンク信号を送信するための前記ユーザ機器の送信周波数チャネルを含む、請求項10、11または12に記載のデバイス。
【請求項１４】
前記ユーザ機器によって送信される前記アップリンク信号が、前記ユーザ機器によって送信されるアップリンクサウンディング参照信号、アップリンクプリアンブル、またはアップリンク復調参照信号を含む、請求項10、11または12に記載のデバイス。
【請求項１５】
マクロ基地局によって送信されたタイミングアドバンス更新メッセージを受信するように構成された受信ユニットであって、前記タイミングアドバンス更新メッセージが、前記マクロ基地局によってユーザ機器に割り振られたタイミングアドバンスを、プリセットされたタイミングアドバンスに減少させるように命令するために使用される、受信ユニットと、
前記マクロ基地局によって割り振られた前記タイミングアドバンスを、前記プリセットされたタイミングアドバンスに減少させるように構成された制御ユニットと、
前記制御ユニットが、前記マクロ基地局によって割り振られた前記タイミングアドバンスを、前記プリセットされたタイミングアドバンスに減少させた後、前記プリセットされたタイミングアドバンスに従ってアップリンク信号を送信するように構成された送信ユニットとを備え、それにより、マイクロ基地局が、前記アップリンク信号を送信するための前記送信ユニットの構成情報に従って前記マクロ基地局のアップリンク受信窓内で前記アップリンク信号を検出して前記アップリンク信号を前記マクロ基地局に送信し、前記マクロ基地局および前記マイクロ基地局が同期されたクロックレートを有し、前記マクロ基地局の前記アップリンク受信窓と前記マイクロ基地局のアップリンク受信窓との間に固定時間差t1が存在し、|t1|≧0である、ユーザ機器。
【請求項１６】
前記ユーザ機器が前記マクロ基地局によってサービスされ、前記ユーザ機器が、前記マイクロ基地局のダウンリンクカバレージエリアの外側でかつ前記マイクロ基地局の前記ダウンリンクカバレージエリアの境界に位置する、請求項15に記載のユーザ機器。
【請求項１７】
前記アップリンク信号を送信するために使用される前記構成情報が、少なくとも、前記アップリンク信号を送信するために使用される送信周波数チャネルを含む、請求項15に記載のユーザ機器。
【請求項１８】
前記アップリンク信号が、アップリンクサウンディング参照信号、アップリンクプリアンブル、およびアップリンク復調参照信号のうちの任意の1つを含む、請求項15、16または17に記載のユーザ機器。
【請求項１９】
アップリンク信号を検出するためのシステムであって、
ユーザ機器と、マイクロ基地局と、マクロ基地局とを備え、
前記ユーザ機器が前記マクロ基地局によってサービスされ、前記ユーザ機器が前記マイクロ基地局のダウンリンクカバレージエリアの外側でかつ前記マイクロ基地局の前記ダウンリンクカバレージエリアの境界に位置し、前記マクロ基地局および前記マイクロ基地局が同期されたクロックレートを有し、前記マクロ基地局のアップリンク受信窓と前記マイクロ基地局のアップリンク受信窓との間に固定時間差t1が存在し、|t1|≧0であり、
前記マイクロ基地局が、請求項8から11のいずれか一項に記載のアップリンク信号を検出するための前記デバイスを備え、
前記ユーザ機器が、アップリンク信号を送信するように構成され、
前記マクロ基地局が、前記ユーザ機器によって送信され、前記マイクロ基地局によって検出された前記アップリンク信号を受信するように構成される、システム。
【請求項２０】
アップリンク信号を検出するためのシステムであって、
マイクロ基地局と、マクロ基地局と、請求項12から14のいずれか一項に記載のユーザ機器とを備え、
前記ユーザ機器が前記マクロ基地局によってサービスされ、前記ユーザ機器が前記マイクロ基地局のダウンリンクカバレージエリアの外側でかつ前記マイクロ基地局の前記ダウンリンクカバレージエリアの境界に位置し、前記マクロ基地局および前記マイクロ基地局が同期されたクロックレートを有し、前記マクロ基地局のアップリンク受信窓と前記マイクロ基地局のアップリンク受信窓との間に固定時間差t1が存在し、|t1|≧0であり、
前記マクロ基地局が、前記マクロ基地局によって前記ユーザ機器に割り振られたタイミングアドバンスを、プリセットされたタイミングアドバンスに減少させるように命令するために使用されるタイミングアドバンス更新メッセージを前記ユーザ機器に送信し、かつ前記ユーザ機器によって送信されて前記マイクロ基地局によって検出された前記アップリンク信号を受信するように構成され、
前記マイクロ基地局が、前記ユーザ機器によって送信された前記アップリンク信号に関する構成情報に従って前記マクロ基地局の前記アップリンク受信窓内で前記アップリンク信号を検出し、前記アップリンク信号を前記マクロ基地局に送信するように構成される、システム。
【発明の詳細な説明】
【技術分野】
【０００１】
本発明は通信技術の分野に関し、詳細には、アップリンク信号を検出するための方法ならびに関連するデバイスおよびシステムに関する。
【背景技術】
【０００２】
ユーザ端末(User Equipment, UE)の数は絶えず増加しているので、マクロ基地局のデータトラフィックを分配し、マクロ基地局の処理圧力を軽減するために、マイクロ基地局が、オペレータのネットワーク内にますます配備されている。マクロ基地局とマイクロ基地局との混合配備を伴うこの種類のネットワークはまた、ヘテロジニアスネットワーク(Heterogeneous Network, HetNet)と呼ばれる。
【０００３】
図1を参照すると、図1は、既存のヘテロジニアスネットワークの概略図である。図1に示すヘテロジニアスネットワークでは、マクロ基地局によってサービスされるUEが、マイクロ基地局のダウンリンクカバレージエリアの外側にありかつマイクロ基地局のダウンリンクカバレージエリアの境界に位置するとき、マクロ基地局によってサービスされるUEからマクロ基地局までのアップリンク信号は、マイクロ基地局に対するアップリンク干渉を引き起こす。この場合、マクロ基地局によってサービスされるUEは、マイクロ基地局の干渉源と呼ばれ得る。マイクロ基地局の干渉源を識別するために、当業界において、いくつかの方法が現在提案されている。これらの方法には、マクロ基地局によってサービスされるUEのアップリンクサウンディング参照信号(Sounding Reference Signals, SRS)、アップリンクプリアンブル(Preamble)、またはアップリンク復調参照信号(Demodulation Reference Signals, DMRS)をマイクロ基地局によって検出するステップ、およびアップリンクサウンディング参照信号、アップリンクプリアンブル、またはアップリンク復調参照信号をマクロ基地局に戻して供給するステップ、ならびに干渉源の識別をマクロ基地局によって完了するステップが含まれる。
【０００４】
実際の適用例では、基地局によってサービスされるUEのアップリンク信号が、基地局の受信窓の始点からサイクリックプレフィックス(Cyclic Prefix, CP)の終わりまでの間隔の中で基地局に到達するときだけ、基地局はアップリンク信号を成功裏に検出し得る。この要件を満足するために、UEのアップリンク信号が基地局の受信窓の始点からサイクリックプレフィックス(Cyclic Prefix, CP)の終わりまでの間隔の中で基地局に到達し得るように、アップリンク信号がどれだけ早めに送信されるべきかをUEが知ることを可能にするために、基地局は、一般に、タイミングアドバンス(Timing advanced, TA)をUEに割り振る。
【０００５】
ヘテロジニアスネットワークでは、マクロ基地局によってサービスされるUEは、マイクロ基地局のダウンリンクカバレージエリアの外側にあるが、マイクロ基地局のダウンリンクカバレージエリアの境界に位置するとき、UEはマクロ基地局から遠いので、マクロ基地局によってサービスされるUEは、マクロ基地局によって割り振られたTAを使用することによってアップリンク信号を送信する。UEはマイクロ基地局に近いので、マクロ基地局によってUEに割り振られたTAは概して大きく、UEによって送信されたアップリンク信号はマイクロ基地局の受信窓の始点より前にマイクロ基地局に到達し、そのため、マイクロ基地局はUEによって送信されたアップリンク信号を検出しないことがある。
【発明の概要】
【課題を解決するための手段】
【０００６】
この技術的問題を解決するために、本発明の実施形態は、UEのアップリンク信号を効率的に検出するために、アップリンク信号を検出するための方法、ならびに関連するデバイスおよびシステムを提供する。
【０００７】
一態様では、本発明の一実施形態は、アップリンク信号を検出するための方法を提供し、その方法は、
アップリンク信号がマクロ基地局のアップリンク受信窓内で受信されるかどうかを、アップリンク信号を送信するためのユーザ機器の構成情報に従って、マイクロ基地局によって検出するステップであって、マクロ基地局およびマイクロ基地局が同期されたクロックレートを有し、マクロ基地局のアップリンク受信窓とマイクロ基地局のアップリンク受信窓との間に固定時間差t1が存在し、|t1|≧0であるステップと、
アップリンク信号がマクロ基地局のアップリンク受信窓内で受信されないことが検出される場合、マイクロ基地局がマクロ基地局のアップリンク受信窓を少なくとも1サイクリックプレフィックスの長さだけ進ませた後、アップリンク信号をマイクロ基地局によって再び検出し、アップリンク信号をマクロ基地局に送信するステップとを含む。
【０００８】
別の態様では、本発明の一実施形態は、アップリンク信号を検出するための方法を提供し、その方法は、
マクロ基地局によって送信されたタイミングアドバンス更新メッセージをユーザ機器によって受信するステップであって、タイミングアドバンス更新メッセージが、マクロ基地局によってユーザ機器に割り振られたタイミングアドバンスを、プリセットされたタイミングアドバンスに減少させるように命令するために使用されるステップと、
ユーザ機器が、マクロ基地局によって割り振られたタイミングアドバンスを、プリセットされたタイミングアドバンスに減少させた後、プリセットされたタイミングアドバンスに従ってアップリンク信号をユーザ機器によって送信するステップとを含み、それにより、マイクロ基地局が、アップリンク信号を送信するためのユーザ機器の構成情報に従ってマクロ基地局のアップリンク受信窓内でアップリンク信号を検出してアップリンク信号をマクロ基地局に送信し、マクロ基地局およびマイクロ基地局が同期されたクロックレートを有し、マクロ基地局のアップリンク受信窓とマイクロ基地局のアップリンク受信窓との間に固定時間差t1が存在し、|t1|≧0である。
【０００９】
それに応じて、一態様では、本発明の実施形態は、マイクロ基地局内に加えられるアップリンク信号を検出するためのデバイスを提供し、アップリンク信号を検出するためのデバイスは、
アップリンク信号がマクロ基地局のアップリンク受信窓内で受信されるかどうかを、アップリンク信号を送信するためのユーザ機器の構成情報に従って検出するように構成された検出ユニットであって、マクロ基地局およびマイクロ基地局が同期されたクロックレートを有し、マクロ基地局のアップリンク受信窓とマイクロ基地局のアップリンク受信窓との間に固定時間差t1が存在し、|t1|≧0である、検出ユニットと、
アップリンク信号がマクロ基地局のアップリンク受信窓内で受信されないことを検出ユニットが検出すると、マクロ基地局のアップリンク受信窓を少なくとも1サイクリックプレフィックスの長さだけ進ませるように構成された制御ユニットであって、
制御ユニットが、マクロ基地局のアップリンク受信窓を少なくとも1サイクリックプレフィックスの長さだけ進ませた後、検出ユニットがアップリンク信号を検出するようにさらに構成される、制御ユニットと、
検出ユニットによって検出されたアップリンク信号をマクロ基地局に送信するように構成された送信ユニットとを含む。
【００１０】
それに応じて、別の態様では、本発明の一実施形態はユーザ機器を提供し、ユーザ機器は、
マクロ基地局によって送信されるタイミングアドバンス更新メッセージを受信するように構成された受信ユニットであって、タイミングアドバンス更新メッセージが、マクロ基地局によってユーザ機器に割り振られたタイミングアドバンスを、プリセットされたタイミングアドバンスに減少させるように命令するために使用される、受信ユニットと、
マクロ基地局によって割り振られたタイミングアドバンスを、プリセットされたタイミングアドバンスに減少させるように構成された制御ユニットと、
制御ユニットが、マクロ基地局によって割り振られたタイミングアドバンスを、プリセットされたタイミングアドバンスに減少させた後、プリセットされたタイミングアドバンスに従ってアップリンク信号を送信するように構成された送信ユニットとを含み、それにより、マイクロ基地局が、アップリンク信号を送信するための送信ユニットの構成情報に従ってマクロ基地局のアップリンク受信窓内でアップリンク信号を検出してアップリンク信号をマクロ基地局に送信し、マクロ基地局およびマイクロ基地局が同期されたクロックレートを有し、マクロ基地局のアップリンク受信窓とマイクロ基地局のアップリンク受信窓との間に固定時間差t1が存在し、|t1|≧0である。
【００１１】
それに応じて、一態様では、本発明の一実施形態はアップリンク信号を検出するためのシステムをさらに提供し、そのシステムは、
ユーザ機器と、マイクロ基地局と、マクロ基地局とを含み、
ユーザ機器がマクロ基地局によってサービスされ、ユーザ機器がマイクロ基地局のダウンリンクカバレージエリアの外側でかつマイクロ基地局のダウンリンクカバレージエリアの境界に位置し、マクロ基地局およびマイクロ基地局が同期されたクロックレートを有し、マクロ基地局のアップリンク受信窓とマイクロ基地局のアップリンク受信窓との間に固定時間差t1が存在し、|t1|≧0であり、
マイクロ基地局が、アップリンク信号を検出するための上記デバイスを含み、
ユーザ機器が、アップリンク信号を送信するように構成され、
マクロ基地局が、ユーザ機器によって送信されてマイクロ基地局によって検出されたアップリンク信号を受信するように構成される。
【００１２】
それに応じて、別の態様では、本発明の一実施形態は、アップリンク信号を検出するための別のシステムをさらに提供し、そのシステムは、
マイクロ基地局と、マクロ基地局と、別の態様における本発明の実施形態によって提供するユーザ機器とを含み、
ユーザ機器がマクロ基地局によってサービスされ、ユーザ機器がマイクロ基地局のダウンリンクカバレージエリアの外側でかつマイクロ基地局のダウンリンクカバレージエリアの境界に位置し、マクロ基地局およびマイクロ基地局が同期されたクロックレートを有し、マクロ基地局のアップリンク受信窓とマイクロ基地局のアップリンク受信窓との間に固定時間差t1が存在し、|t1|≧0であり、
マクロ基地局がタイミングアドバンス更新メッセージをユーザ機器に送信するように構成され、タイミングアドバンス更新メッセージが、マクロ基地局によってユーザ機器に割り振られたタイミングアドバンスを、プリセットされたタイミングアドバンスに減少させるように命令するために使用され、かつユーザ機器によって送信されてマイクロ基地局によって検出されたアップリンク信号を受信し、
マイクロ基地局が、ユーザ機器によって送信されたアップリンク信号に関する構成情報に従ってマクロ基地局のアップリンク受信窓内でアップリンク信号を検出し、アップリンク信号をマクロ基地局に送信するように構成される。
【００１３】
本発明の実施形態では、マクロ基地局およびマイクロ基地局は同期されたクロックレートを有し、マクロ基地局のアップリンク受信窓とマイクロ基地局のアップリンク受信窓との間に固定時間差t1が存在し、|t1|≧0である。そのような方式において、一態様では、マイクロ基地局は、アップリンク信号がマクロ基地局のアップリンク受信窓内で受信されるかどうかを、アップリンク信号を送信するためのユーザ機器の構成情報に従って検出し、受信されない場合、マクロ基地局のアップリンク受信窓を少なくとも1サイクリックプレフィックスの長さだけ進ませた後、マイクロ基地局は、アップリンク信号を再び検出して、アップリンク信号をマクロ基地局に送信することができる。別の態様では、マクロ基地局によって送信されたタイミングアドバンス更新メッセージに従って、マクロ基地局によって割り振られたタイミングアドバンスを、プリセットされたタイミングアドバンスに減少させた後、ユーザ機器は、アップリンク信号をプリセットされたタイミングアドバンスに従って送信する。それにより、マイクロ基地局は、アップリンク信号を送信するためのユーザ機器の構成情報に従ってマクロ基地局のアップリンク受信窓の中でアップリンク信号を検出し、アップリンク信号をマクロ基地局に送信することができる。それゆえ、マイクロ基地局がユーザ機器のアップリンク信号を効率的に検出することが実施され、それにより、マクロ基地局は、マイクロ基地局に対してアップリンク干渉を引き起こすユーザ機器を識別し、それゆえ干渉を排除することができる。一方、本発明の実施形態では、すべてのリソースに対してマイクロ基地局によって常に実行される多数回の検出によって引き起こされる処理負荷もまた、回避され得る。
【００１４】
本発明の実施形態の技術的解決策をより明確に示すために、実施形態を説明するための添付の図面を、以下で簡潔に説明する。見掛け上、以下の説明における添付の図面は、本発明のいくつかの実施形態にすぎなく、当業者は、創造的な努力なしに、添付の図面から他の図面を導出し得る。
【図面の簡単な説明】
【００１５】
【図１】既存のヘテロジニアスネットワークの概略図である。
【図２】本発明の一実施形態において提供される、アップリンク信号を検出するための方法の実施形態の概略フローチャートである。
【図３】本発明の一実施形態において提供される、アップリンク信号を検出するための方法の実施形態の概略フローチャートである。
【図４】本発明の一実施形態において提供される、アップリンク信号を検出するための方法の実施形態の概略フローチャートである。
【図５】本発明の一実施形態において提供される、アップリンク信号を検出するための方法の実施形態の概略フローチャートである。
【図６】本発明の一実施形態において提供される、アップリンク信号を検出するための方法の実施形態の概略フローチャートである。
【図７】本発明の一実施形態において提供される、アップリンク信号を検出するための方法の実施形態の概略フローチャートである。
【図８】本発明の一実施形態において提供される、アップリンク信号を検出するための方法の実施形態の概略フローチャートである。
【図９】本発明の一実施形態において提供される、アップリンク信号を検出するためのデバイスの一実施形態の概略構造図である。
【図１０】本発明の一実施形態において提供されるユーザ機器の実施形態の概略構造図である。
【図１１】本発明の一実施形態において提供される、アップリンク信号を検出するためのシステムの実施形態の概略構造図である。
【図１２】本発明の一実施形態において提供される、アップリンク信号を検出するためのシステムの実施形態の概略構造図である。
【発明を実施するための形態】
【００１６】
本発明の実施形態の添付の図面を参照して、本発明の実施形態における技術的解決策を、以下で明確かつ包括的に説明する。見掛け上、説明する実施形態は、本発明の実施形態の全体ではなく一部にすぎない。本発明の実施形態に基づいて創造的努力なしに当業者によって取得されるすべての他の実施形態は、本発明の保護範囲の中に入る。
【００１７】
本発明の実施形態は、アップリンク信号を検出するための方法ならびに関連するデバイスおよびシステムを提供し、それらは、マクロ基地局によってサービスされ、マイクロ基地局のダウンリンクカバレージエリアの外側でかつマイクロ基地局のダウンリンクカバレージエリアの境界に位置するUEを含む、UEのアップリンク信号を効率的に検出する。それにより、マクロ基地局は、マイクロ基地局に対してアップリンク干渉を引き起こすユーザ機器を識別し、それゆえ干渉を排除し、さらに、すべてのリソースに対してマイクロ基地局によって常に実行される多数回の検出によって引き起こされる処理負荷を回避することができる。それらはそれぞれ、以下で詳細に説明される。
【００１８】
図2を参照すると、図2は、本発明の一実施形態において提供される、アップリンク信号を検出するための方法のフローチャートである。図2に示すように、アップリンク信号を検出するための方法は、以下のステップを含み得る。
【００１９】
201:マイクロ基地局は、アップリンク信号がマクロ基地局のアップリンク受信窓内で受信されるかどうかを、アップリンク信号を送信するためのUEの構成情報に従って検出し、マクロ基地局およびマイクロ基地局は同期されたクロックレートを有し、マクロ基地局のアップリンク受信窓とマイクロ基地局のアップリンク受信窓との間に固定時間差t1が存在し、|t1|≧0である。
【００２０】
一実施形態では、UEは、マクロ基地局によってサービスされ得、UEは、マイクロ基地局のダウンリンクカバレージエリアの外側でかつマイクロ基地局のダウンリンクカバレージエリアの境界に位置し得る。それゆえ、マクロ基地局によってサービスされ、マイクロ基地局のダウンリンクカバレージエリアの外側でかつマイクロ基地局のダウンリンクカバレージエリアの境界に位置するUEのアップリンク信号を、マイクロ基地局が効率的に検出する。それにより、マクロ基地局は、マイクロ基地局に対するアップリンク干渉を引き起こすユーザ機器を識別し、それゆえ干渉を排除することができる。
【００２１】
一実施形態では、アップリンク信号を送信するために使用される構成情報は、アップリンク信号を送信するために使用される送信周波数、送信時間、ホッピングシーケンスなどを含み得る。すなわち、アップリンク信号を送信するために使用される構成情報は、少なくとも、アップリンク信号を送信するために使用される送信リソースを含み得る。
【００２２】
本発明の実施形態では、|t1|=0のとき、それは、マクロ基地局とマイクロ基地局とのクロックが完全に整合されることを示し、このとき、マクロ基地局のアップリンク受信窓とマイクロ基地局のアップリンク受信窓とは同じである。|t1|≠0のとき、それは、マクロ基地局とマイクロ基地局とのクロックが整合されないことを示し、このとき、マクロ基地局のアップリンク受信窓とマイクロ基地局のアップリンク受信窓との間に固定時間差t1が存在する。
【００２３】
202:アップリンク信号がマクロ基地局のアップリンク受信窓内で受信されないことが検出される場合、マクロ基地局のアップリンク受信窓を少なくとも1CPの長さだけ進ませた後、マイクロ基地局は、アップリンク信号を再び検出して、アップリンク信号をマクロ基地局に送信する。
【００２４】
実際の適用例では、アップリンク信号が、マクロ基地局のアップリンク受信窓内で受信されないことが検出される場合、マイクロ基地局は、マクロ基地局のアップリンク受信窓を1CPの長さだけ進めた後に再びアップリンク信号を検出する。アップリンク信号が依然として検出されない場合、マクロ基地局のアップリンク受信窓をN×CPの長さだけ進めた後にマイクロ基地局がアップリンク信号を検出するまで、マクロ基地局のアップリンク受信窓を2×CPの長さだけさらに進めた後にマイクロ基地局がアップリンク信号を再び検出し、マイクロ基地局は、アップリンク信号をマクロ基地局に送信することができる。
【００２５】
一実施形態では、アップリンク信号がマクロ基地局のアップリンク受信窓内で受信されることが検出される場合、マイクロ基地局はまた、アップリンク信号またはアップリンク信号に関する関連情報(たとえば、UE識別子)をマクロ基地局に送信する。それにより、マクロ基地局は、マイクロ基地局に対するアップリンク干渉を引き起こすユーザ機器を識別し、それゆえ干渉を排除することができる。
【００２６】
随意の実施様式として、図2に示すアップリンク信号を検出するための方法では、ステップ201の前に、マイクロ基地局はまた、UEによって送信されたアップリンク信号に関する、マクロ基地局によって送信された構成情報を受信し、記憶することができる。
【００２７】
別の随意の実施様式として、図2に示すアップリンク信号を検出するための方法では、ステップ201の前に、マイクロ基地局およびマクロ基地局はまた、UEによって送信されたアップリンク信号に関する構成情報をネゴシエートし得る。このことは本発明の実施形態に限定されるものではない。
【００２８】
随意の実施様式として、図2に示すアップリンク信号を検出するための方法では、アップリンク信号は、アップリンクSRS、アップリンクPreamble、およびアップリンクDMRSのうちの任意の1つであってよい。このことは本発明の実施形態に限定されるものではない。
【００２９】
図2に示すアップリンク信号を検出するための方法では、マクロ基地局およびマイクロ基地局は同期されたクロックレートを有し、マクロ基地局のアップリンク受信窓とマイクロ基地局のアップリンク受信窓との間に固定時間差t1が存在し、|t1|≧0である。そのような方式において、マイクロ基地局は、アップリンク信号がマクロ基地局のアップリンク受信窓内で受信されるかどうかを、UEによって送信されたアップリンク信号に関する構成情報に従って検出し、受信されない場合、マクロ基地局のアップリンク受信窓を少なくとも1CPの長さだけ進ませた後、マイクロ基地局は、アップリンク信号を再び検出し、アップリンク信号をマクロ基地局に送信することができる。それゆえ、マイクロ基地局がUEによって送信されたアップリンク信号を効率的に検出することが実施され、それにより、マクロ基地局は、マイクロ基地局に対してアップリンク干渉を引き起こすユーザ機器を識別し、それゆえ干渉を排除することができる。一方、本発明の実施形態では、すべてのリソースに対してマイクロ基地局によって常に実行される多数回の検出によって引き起こされる処理負荷もまた、回避され得る。
【００３０】
図3を参照すると、図3は、本発明の一実施形態において提供される、アップリンク信号を検出するための別の方法のフローチャートである。図3に示すアップリンク信号を検出するための方法では、UEはマクロ基地局によってサービスされ、UEはマイクロ基地局のダウンリンクカバレージエリアの外側でかつマイクロ基地局のダウンリンクカバレージエリアの境界に位置する一方で、マクロ基地局およびマイクロ基地局は同期されたクロックレートを有し、かつマクロ基地局のアップリンク受信窓とマイクロ基地局のアップリンク受信窓との間に固定時間差t1が存在し、|t1|=0であること、が仮定される。すなわち、マクロ基地局とマイクロ基地局とのクロックが完全に整合され、このとき、マクロ基地局のアップリンク受信窓およびマイクロ基地局のアップリンク受信窓は同じである。図3に示すように、アップリンク信号を検出するための方法は、以下のステップを含み得る。
【００３１】
301:マクロ基地局は、UEによって送信されたアップリンクSRSに関する構成情報を、マイクロ基地局に送信し、マイクロ基地局を駆動して、UEによって送信されたアップリンクSRSの検出を開始させる。
【００３２】
302:マイクロ基地局は、アップリンクSRSが、マクロ基地局のアップリンク受信窓内で(または、この時点でマクロ基地局のアップリンク受信窓と同じであるマイクロ基地局のアップリンク受信窓内で)受信されるかどうかを、UEによって送信されたアップリンクSRSに関する構成情報に従って検出し、受信される場合はステップ304を実行し、受信されない場合はステップ303およびステップ304を実行する。
【００３３】
303:マイクロ基地局は、ステップ302で、アップリンクSRSが、マクロ基地局のアップリンク受信窓内で(または、この時点でマクロ基地局のアップリンク受信窓と同じであるマイクロ基地局のアップリンク受信窓内で)受信されないことを検出すると、マイクロ基地局は、マクロ基地局のアップリンク受信窓を1CPの長さだけ進めた後に再びアップリンクSRSを検出し、ステップ304を実行することができる。
【００３４】
マクロ基地局によって構成された標準TAに従ってUEがアップリンクSRSを送信するとき、アップリンクSRSが、マイクロ基地局のアップリンク受信窓(それは、この時点でマクロ基地局のアップリンク受信窓と同じである)の始点より前にマイクロ基地局に到達すること、また多くの場合、アップリンクSRSが、マイクロ基地局のアップリンク受信窓(それは、この時点でマクロ基地局のアップリンク受信窓と同じである)の始点に事前に到達するときのタイミングアドバンスは、1CPの長さを超えないことの可能性が非常に高いことが、実際問題として示されている。すなわち、マクロ基地局のアップリンク受信窓の始点が0である場合、UEのアップリンクSRSがマイクロ基地局に到達する時点は、概して、[-CP,+CP]の範囲内にある。それゆえ、マイクロ基地局は、マクロ基地局のアップリンク受信窓を1CPの長さだけ進めた後、アップリンクSRSを効率的に検出し得る。
【００３５】
304:UEによって送信されたアップリンクSRSを検出した後、マイクロ基地局は、アップリンクSRSまたはアップリンクSRSに関する関連情報(たとえば、UE識別子)をマクロ基地局に送信する。
【００３６】
マイクロ基地局によって送信されたアップリンクSRSを受信した後、マクロ基地局は、アップリンクSRSを送信するUEがマイクロ基地局に対してアップリンク干渉を引き起こすことを識別し得る。すなわち、そのUEは、マイクロ基地局のアップリンク干渉源であり、この時点で、マクロ基地局は、UEの干渉を排除し得る。マクロ基地局がUEの干渉を排除し得る特定の実施様式は、当業者には周知の事実であり、それゆえ、本発明の実施形態の本明細書において、詳細を再度説明しない。
【００３７】
図3に示すアップリンク信号を検出するための方法では、ステップ302およびステップ303は、異なる順序で配列されてよく、または並行して実行されてもよい。このことは本発明の実施形態に限定されるものではない。さらにステップ302の実行はステップ301によって駆動されてよく、ステップ303の終了はステップ304によって駆動されてよい。当然、ステップ302の実行はまた、マクロ基地局とマイクロ基地局との間の特定のシグナリングによって駆動されてよく、ステップ303の終了もまた、マクロ基地局とマイクロ基地局との間の特定のシグナリングによって駆動されてよい。このことは本発明の実施形態に限定されるものではない。
【００３８】
一実施形態では、図3に示すアップリンク信号を検出するための方法におけるアップリンクSRSはまた、アップリンクPreambleまたはアップリンクDMRSで置き換えられてもよい。このことは本発明の実施態様に影響を与えず、本発明の実施形態に限定されるものでもない。
【００３９】
図3に示すアップリンク信号を検出するための方法では、UEはマクロ基地局によってサービスされ、UEはマイクロ基地局のダウンリンクカバレージエリアの外側でかつマイクロ基地局のダウンリンクカバレージエリアの境界に位置し、一方で、マクロ基地局およびマイクロ基地局は同期されたクロックレートを有し、かつマクロ基地局のアップリンク受信窓とマイクロ基地局のアップリンク受信窓との間に固定時間差t1が存在し、|t1|=0である。そのような方式において、マイクロ基地局は、アップリンク信号がマクロ基地局のアップリンク受信窓内で受信されるかどうかを、UEによって送信されたアップリンクSRSに関する構成情報に従って検出し、受信されない場合、マクロ基地局のアップリンク受信窓を少なくとも1CPの長さだけ進ませた後、マイクロ基地局は、アップリンクSRSを再び検出し、アップリンクSRSをマクロ基地局に送信することができる。それゆえ、マイクロ基地局がUEのアップリンクSRSを効率的に検出することが実施され、それにより、マクロ基地局は、マイクロ基地局に対してアップリンク干渉を引き起こすユーザ機器を識別し、それゆえ干渉を排除することができる。一方、本発明の実施形態では、すべてのリソースに対してマイクロ基地局によって常に実行される多数回の検出によって引き起こされる処理負荷もまた、回避され得る。
【００４０】
図4を参照すると、図4は、本発明の一実施形態において提供される、アップリンク信号を検出するための別の方法のフローチャートである。図4に示すアップリンク信号を検出するための方法では、UEはマクロ基地局によってサービスされ、UEはマイクロ基地局のダウンリンクカバレージエリアの外側でかつマイクロ基地局のダウンリンクカバレージエリアの境界に位置する一方で、マクロ基地局およびマイクロ基地局は同期されたクロックレートを有し、かつマクロ基地局のアップリンク受信窓とマイクロ基地局のアップリンク受信窓との間に固定時間差t1が存在し、|t1|≠0であること、が仮定される。すなわち、マクロ基地局とマイクロ基地局とのクロックは整合されない。図4に示すように、アップリンク信号を検出するための方法は、以下のステップを含み得る。
【００４１】
401:マクロ基地局は、UEによって送信されたアップリンクSRSに関する構成情報を、マイクロ基地局に送信し、マイクロ基地局を駆動して、UEによって送信されたアップリンクSRSの検出を開始させる。
【００４２】
402:マイクロ基地局は、アップリンクSRSが、マクロ基地局のアップリンク受信窓(この時点で、マクロ基地局のアップリンク受信窓とマイクロ基地局のアップリンク受信窓との間に固定時間差t1が存在する)内で受信されるかどうかを、UEによって送信されたアップリンクSRSに関する構成情報に従って検出し、受信される場合はステップ404を実行し、受信されない場合はステップ403およびステップ404を実行する。
【００４３】
403:マイクロ基地局は、ステップ402で、アップリンクSRSが、マクロ基地局のアップリンク受信窓内で(または、この時点でマクロ基地局のアップリンク受信窓と同じであるマイクロ基地局のアップリンク受信窓内で)受信されないことを検出すると、マイクロ基地局は、マクロ基地局のアップリンク受信窓を1CPの長さだけ進めた後に再びアップリンクSRSを検出し、ステップ404を実行することができる。
【００４４】
404:UEによって送信されたアップリンクSRSを検出した後、マイクロ基地局は、アップリンクSRSまたはアップリンクSRSに関する関連情報(たとえば、UE識別子)をマクロ基地局に送信する。
【００４５】
マイクロ基地局によって送信されたアップリンクSRSを受信した後、マクロ基地局は、アップリンクSRSを送信するUEがマイクロ基地局に対してアップリンク干渉を引き起こすことを識別し得る。すなわち、そのUEは、マイクロ基地局のアップリンク干渉源であり、この時点で、マクロ基地局は、UEの干渉を排除し得る。マクロ基地局がUEの干渉を排除し得る特定の実施様式は、当業者には周知の事実であり、それゆえ、本発明の実施形態の本明細書において、詳細を再度説明しない。
【００４６】
図4に示すアップリンク信号を検出するための方法では、ステップ402およびステップ403は、異なる順序で配列されてよく、または並行して実行されてもよい。このことは本発明の実施形態に限定されるものではない。さらにステップ402の実行はステップ401によって駆動されてよく、ステップ403の終了はステップ404によって駆動されてよい。当然、ステップ402の実行はまた、マクロ基地局とマイクロ基地局との間の特定のシグナリングによって駆動されてよく、ステップ403の終了もまた、マクロ基地局とマイクロ基地局との間の特定のシグナリングによって駆動されてよい。このことは本発明の実施形態に限定されるものではない。
【００４７】
一実施形態では、図4に示すアップリンク信号を検出するための方法におけるアップリンクSRSはまた、アップリンクPreambleまたはアップリンクDMRSで置き換えられてもよい。このことは本発明の実施態様に影響を与えず、本発明の実施形態に限定されるものでもない。
【００４８】
図4に示すアップリンク信号を検出するための方法では、UEはマクロ基地局によってサービスされ、UEはマイクロ基地局のダウンリンクカバレージエリアの外側でかつマイクロ基地局のダウンリンクカバレージエリアの境界に位置する一方で、マクロ基地局およびマイクロ基地局は同期されたクロックレートを有し、かつマクロ基地局のアップリンク受信窓とマイクロ基地局のアップリンク受信窓との間に固定時間差t1が存在し、|t1|≠0である。そのような方式において、マイクロ基地局は、アップリンク信号がマクロ基地局のアップリンク受信窓内で受信されるかどうかを、UEによって送信されたアップリンクSRSに関する構成情報に従って検出し、受信されない場合、マクロ基地局のアップリンク受信窓を少なくとも1CPの長さだけ進ませた後、マイクロ基地局は、アップリンクSRSを再び検出し、アップリンクSRSをマクロ基地局に送信することができる。それゆえ、マイクロ基地局がUEのアップリンクSRSを効率的に検出することが実施され、それにより、マクロ基地局は、マイクロ基地局に対してアップリンク干渉を引き起こすユーザ機器を識別し、それゆえ干渉を排除することができる。一方、本発明の実施形態では、すべてのリソースに対してマイクロ基地局によって常に実行される多数回の検出によって引き起こされる処理負荷もまた、回避され得る。
【００４９】
図5を参照すると、図5は、本発明の一実施形態において提供される、アップリンク信号を検出するための別の方法のフローチャートである。図5に示すアップリンク信号を検出するための方法では、UEはマクロ基地局によってサービスされ、UEはマイクロ基地局のダウンリンクカバレージエリアの外側でかつマイクロ基地局のダウンリンクカバレージエリアの境界に位置する一方で、マクロ基地局およびマイクロ基地局は同期されたクロックレートを有し、かつマクロ基地局のアップリンク受信窓とマイクロ基地局のアップリンク受信窓との間に固定時間差t1が存在し、|t1|=0であること、が仮定される。すなわち、マクロ基地局とマイクロ基地局とのクロックが完全に整合され、このとき、マクロ基地局のアップリンク受信窓およびマイクロ基地局のアップリンク受信窓は同じである。図5に示すように、アップリンク信号を検出するための方法は、以下のステップを含み得る。
【００５０】
501:マイクロ基地局およびマクロ基地局が、UEによって送信されたアップリンクPreambleに関する構成情報をネゴシエートした後、マクロ基地局は、UEによって送信されたアップリンクPreambleに関する構成情報をUEに通知する。
【００５１】
一実施形態では、マイクロ基地局は、UEによって送信されたアップリンクPreambleに関する、マイクロ基地局によって選択された構成情報をマクロ基地局に通知し得るか、またはマクロ基地局は、UEによって送信されたアップリンクPreambleに関する、マクロ基地局によって選択された構成情報をマイクロ基地局に通知し得る。このことは本発明の実施形態に限定されるものではない。
【００５２】
502:マイクロ基地局は、アップリンクPreambleが、マクロ基地局のアップリンク受信窓内で(または、この時点でマクロ基地局のアップリンク受信窓と同じであるマイクロ基地局のアップリンク受信窓内で)受信されるかどうかを、UEによって送信されたアップリンクPreambleに関する構成情報に従って検出し、受信される場合はステップ504を実行し、受信されない場合はステップ503およびステップ504を実行する。
【００５３】
503:マイクロ基地局は、ステップ502で、アップリンクPreambleが、マクロ基地局のアップリンク受信窓内で(または、この時点でマクロ基地局のアップリンク受信窓と同じであるマイクロ基地局のアップリンク受信窓内で)受信されないことを検出すると、マイクロ基地局は、マクロ基地局のアップリンク受信窓を1CPの長さだけ進めた後に再びアップリンクPreambleを検出し、ステップ504を実行することができる。
【００５４】
504:UEによって送信されたアップリンクPreambleを検出した後、マイクロ基地局は、アップリンクPreambleまたはアップリンクPreambleに関する関連情報(たとえば、UE識別子)をマクロ基地局に送信する。
【００５５】
マイクロ基地局によって送信されたアップリンクPreambleを受信した後、マクロ基地局は、アップリンクPreambleを送信するUEがマイクロ基地局に対してアップリンク干渉を引き起こすことを識別し得る。すなわち、そのUEは、マイクロ基地局のアップリンク干渉源であり、この時点で、マクロ基地局は、UEの干渉を排除し得る。マクロ基地局がUEの干渉を排除し得る特定の実施様式は、当業者には周知の事実であり、それゆえ、本発明の実施形態の本明細書において、詳細を再度説明しない。
【００５６】
図5に示すアップリンク信号を検出するための方法では、ステップ502およびステップ503は、異なる順序で配列されてよく、または並行して実行されてもよい。このことは本発明の実施形態に限定されるものではない。さらにステップ502の実行はステップ501によって駆動されてよく、ステップ503の終了はステップ504によって駆動されてよい。当然、ステップ502の実行はまた、マクロ基地局とマイクロ基地局との間の特定のシグナリングによって駆動されてよく、ステップ503の終了もまた、マクロ基地局とマイクロ基地局との間の特定のシグナリングによって駆動されてよい。このことは本発明の実施形態に限定されるものではない。または、マイクロ基地局およびマクロ基地局は、UEによって送信されたアップリンクpreambleを検出するために使用される構成情報の複数の断片をネゴシエートする。それにより、マクロ基地局は、検出を駆動および停止することなく、UEによって送信されたアップリンクpreambleに対して連続的な検出を実行することができる。
【００５７】
図5に示すアップリンク信号を検出するための方法では、UEはマクロ基地局によってサービスされ、UEはマイクロ基地局のダウンリンクカバレージエリアの外側でかつマイクロ基地局のダウンリンクカバレージエリアの境界に位置する一方で、マクロ基地局およびマイクロ基地局は同期されたクロックレートを有し、かつマクロ基地局のアップリンク受信窓とマイクロ基地局のアップリンク受信窓との間に固定時間差t1が存在し、|t1|=0である。そのような方式において、マイクロ基地局は、UEによって送信されたアップリンクpreambleに関する構成情報をマクロ基地局とネゴシエートする。それにより、マイクロ基地局は、アップリンク信号がマクロ基地局のアップリンク受信窓内で受信されるかどうかを、UEによって送信されたアップリンクpreambleに関する構成情報に従って検出し、受信されない場合、マクロ基地局のアップリンク受信窓を少なくとも1CPの長さだけ進ませた後、マイクロ基地局は、アップリンクSRSを再び検出し、アップリンクSRSをマクロ基地局に送信することができる。それゆえ、マイクロ基地局がUEのアップリンクpreambleを効率的に検出することが実施され、それにより、マクロ基地局は、マイクロ基地局に対してアップリンク干渉を引き起こすユーザ機器を識別し、それゆえ干渉を排除することができる。一方、本発明の実施形態では、すべてのリソースに対してマイクロ基地局によって常に実行される多数回の検出によって引き起こされる処理負荷もまた、回避され得る。
【００５８】
図6を参照すると、図6は、本発明の一実施形態において提供される、アップリンク信号を検出するための別の方法のフローチャートである。図6に示すアップリンク信号を検出するための方法では、UEはマクロ基地局によってサービスされ、UEはマイクロ基地局のダウンリンクカバレージエリアの外側でかつマイクロ基地局のダウンリンクカバレージエリアの境界に位置する一方で、マクロ基地局およびマイクロ基地局は同期されたクロックレートを有し、かつマクロ基地局のアップリンク受信窓とマイクロ基地局のアップリンク受信窓との間に固定時間差t1が存在し、|t1|≠0であること、が仮定される。すなわち、マクロ基地局とマイクロ基地局とのクロックは整合されない。図6に示すように、アップリンク信号を検出するための方法は、以下のステップを含み得る。
【００５９】
601:マイクロ基地局およびマクロ基地局が、UEによって送信されたアップリンクPreambleに関する構成情報をネゴシエートした後、マクロ基地局は、UEによって送信されたアップリンクPreambleに関する構成情報をUEに通知する。
【００６０】
一実施形態では、マイクロ基地局は、UEによって送信されたアップリンクPreambleに関する、マイクロ基地局によって選択された構成情報をマクロ基地局に通知し得るか、またはマクロ基地局は、UEによって送信されたアップリンクPreambleに関する、マクロ基地局によって選択された構成情報をマイクロ基地局に通知し得る。このことは本発明の実施形態に限定されるものではない。
【００６１】
602:マイクロ基地局は、アップリンクPreambleが、マクロ基地局のアップリンク受信窓(この時点で、マクロ基地局のアップリンク受信窓とマイクロ基地局のアップリンク受信窓との間に固定時間差t1が存在する)内で受信されるかどうかを、UEによって送信されたアップリンクPreambleに関する構成情報に従って検出し、受信される場合はステップ604を実行し、受信されない場合はステップ603およびステップ604を実行する。
【００６２】
603:マイクロ基地局は、ステップ602で、アップリンクPreambleが、マクロ基地局のアップリンク受信窓内で受信されないことを検出すると、マイクロ基地局は、マクロ基地局のアップリンク受信窓を1CPの長さだけ進めた後に再びアップリンクPreambleを検出し、ステップ604を実行することができる。
【００６３】
604:UEによって送信されたアップリンクPreambleを検出した後、マイクロ基地局は、アップリンクPreambleをマクロ基地局に送信する。
【００６４】
マイクロ基地局によって送信されたアップリンクPreambleを受信した後、マクロ基地局は、アップリンクPreambleを送信するUEがマイクロ基地局に対してアップリンク干渉を引き起こすことを識別し得る。すなわち、そのUEは、マイクロ基地局のアップリンク干渉源であり、この時点で、マクロ基地局は、UEの干渉を排除し得る。マクロ基地局がUEの干渉を排除し得る特定の実施様式は、当業者には周知の事実であり、それゆえ、本発明の実施形態の本明細書において、詳細を再度説明しない。
【００６５】
図6に示すアップリンク信号を検出するための方法では、ステップ602およびステップ603は、異なる順序で配列されてよく、または並行して実行されてもよい。このことは本発明の実施形態に限定されるものではない。さらにステップ602の実行はステップ601によって駆動されてよく、ステップ603の終了はステップ604によって駆動されてよい。当然、ステップ602の実行はまた、マクロ基地局とマイクロ基地局との間の特定のシグナリングによって駆動されてよく、ステップ603の終了もまた、マクロ基地局とマイクロ基地局との間の特定のシグナリングによって駆動されてよい。このことは本発明の実施形態に限定されるものではない。または、マイクロ基地局およびマクロ基地局は、UEによって送信されたアップリンクpreambleを検出するために使用される構成情報の複数の断片をネゴシエートする。それにより、マクロ基地局は、検出を駆動および停止することなく、UEによって送信されたアップリンクpreambleに対して連続的な検出を実行することができる。
【００６６】
図6に示すアップリンク信号を検出するための方法では、UEはマクロ基地局によってサービスされ、UEはマイクロ基地局のダウンリンクカバレージエリアの外側でかつマイクロ基地局のダウンリンクカバレージエリアの境界に位置する一方で、マクロ基地局およびマイクロ基地局は同期されたクロックレートを有し、かつマクロ基地局のアップリンク受信窓とマイクロ基地局のアップリンク受信窓との間に固定時間差t1が存在し、|t1|≠0である。そのような方式において、マイクロ基地局は、UEによって送信されたアップリンクpreambleに関する構成情報をマクロ基地局とネゴシエートする。それにより、マイクロ基地局は、アップリンク信号がマクロ基地局のアップリンク受信窓内で受信されるかどうかを、UEによって送信されたアップリンクpreambleに関する構成情報に従って検出し、受信されない場合、マクロ基地局のアップリンク受信窓を少なくとも1CPの長さだけ進ませた後、マイクロ基地局は、アップリンクSRSを再び検出し、アップリンクSRSをマクロ基地局に送信することができる。それゆえ、マイクロ基地局がUEのアップリンクpreambleを効率的に検出することが実施され、それにより、マクロ基地局は、マイクロ基地局に対してアップリンク干渉を引き起こすユーザ機器を識別し、それゆえ干渉を排除することができる。一方、本発明の実施形態では、すべてのリソースに対してマイクロ基地局によって常に実行される多数回の検出によって引き起こされる処理負荷もまた、回避され得る。
【００６７】
図2〜図6に示すアップリンク信号を検出するための方法では、マイクロ基地局が、アップリンク信号がマクロ基地局のアップリンク受信窓内で受信されないことを検出すると、マイクロ基地局は、マクロ基地局のアップリンク受信窓を1CPの長さだけ進めた後、アップリンク信号を再び検出し得る。随意の実施様式として、マイクロ基地局が、アップリンク信号がマクロ基地局のアップリンク受信窓内で受信されないことを検出すると、マイクロ基地局はまた、マクロ基地局のアップリンク受信窓をN×CPの長さだけ進めた後に再びアップリンク信号を検出し得、Nは1より大きい自然数である。Nの値は、動作管理および維持(Operation Administration and Maintenance, OAM)エンティティによって構成され得、同様に、UEからマクロ基地局までの距離とUEからマイクロ基地局までの距離との間の差に従ってマイクロ基地局によって計算され得る。このことは本発明の実施形態において詳細に説明されない。すなわち、本発明の実施形態では、図2〜図6に示すアップリンク信号を検出するための方法における2つのアップリンク受信窓は、多数の受信窓に変更され得、1つがマクロ基地局のアップリンク受信窓であり、それ以外が、マクロ基地局のアップリンク受信窓をN×CPの長さだけ進めることによって得られたアップリンク受信窓である。
【００６８】
図7を参照すると、図7は、本発明の一実施形態において提供される、アップリンク信号を検出するための別の方法のフローチャートである。図7に示すように、アップリンク信号を検出するための方法は、以下のステップを含み得る。
【００６９】
701:UEは、マクロ基地局によって送信されたTA更新メッセージを受信し、TA更新メッセージは、マクロ基地局によってUEに割り振られたTAを、プリセットされたTAに減少させるように命令するために使用される。
【００７０】
マクロ基地局によってUEに割り振られたTAは、標準状態においてマクロ基地局によってUEに割り振られたTAを指す。
【００７１】
たとえば、プリセットされたTAは、マクロ基地局によってUEに割り振られたTAの1/2であってよく、またはプリセットされたTAは、マクロ基地局によってUEに割り振られたTAより小さい別の数値である。このことは本発明の実施形態に限定されるものではない。
【００７２】
702:マクロ基地局によって割り振られたTAを、プリセットされたTAに減少させた後、UEは、プリセットされたTAに従ってアップリンク信号を送信し、それにより、マイクロ基地局は、アップリンク信号を送信するためのUEの構成情報に従ってマクロ基地局のアップリンク受信窓内でアップリンク信号を検出して、アップリンク信号をマクロ基地局に送信し、マクロ基地局およびマイクロ基地局は同期されたクロックレートを有し、マクロ基地局のアップリンク受信窓とマイクロ基地局のアップリンク受信窓との間に固定時間差t1が存在し、|t1|≧0である。
【００７３】
一実施形態では、UEは、マクロ基地局によってサービスされ得、UEは、マイクロ基地局のダウンリンクカバレージエリアの外側でかつマイクロ基地局のダウンリンクカバレージエリアの境界に位置し得る。
【００７４】
マイクロ基地局によって送信されたアップリンク信号を受信した後、マクロ基地局は、アップリンク信号を送信するUEがマイクロ基地局に対してアップリンク干渉を引き起こすことを識別し得る。すなわち、そのUEは、マイクロ基地局のアップリンク干渉源であり、この時点で、マクロ基地局は、UEの干渉を排除し得る。
【００７５】
一実施形態では、アップリンク信号を送信するためのUEの構成情報は、少なくとも、アップリンク信号を送信するためのUEの送信周波数チャネルを含み得、すなわち、アップリンク信号を送信するためのUEの構成情報は、少なくとも、アップリンク信号を送信するためのUEの送信リソースを含み得る。
【００７６】
随意の実施様式として、図7に示すアップリンク信号を検出するための方法では、UEによって送信されたアップリンク信号は、UEによって送信されたアップリンクSRS、アップリンクPreamble、またはアップリンクDMRSであってよい。このことは本発明の実施形態に限定されるものではない。
【００７７】
本発明の実施形態では、マクロ基地局およびマイクロ基地局は同期されたクロックレートを有し、マクロ基地局のアップリンク受信窓とマイクロ基地局のアップリンク受信窓との間に固定時間差t1が存在し、|t1|≧0である。そのような方式において、マクロ基地局によって送信されたTA更新メッセージに従って、マクロ基地局によって割り振られたTAを、プリセットされたTAに減少させた後、UEは、プリセットされたTAに従ってアップリンク信号を送信する。それにより、マイクロ基地局は、アップリンク信号に関する構成情報に従ってマクロ基地局のアップリンク受信窓の中でアップリンク信号を検出し、アップリンク信号をマクロ基地局に送信することができる。それゆえ、マイクロ基地局がUEのアップリンク信号を効率的に検出することが実施され、それにより、マクロ基地局は、マイクロ基地局に対してアップリンク干渉を引き起こすユーザ機器を識別し、それゆえ干渉を排除することができる。一方、本発明の実施形態では、すべてのリソースに対してマイクロ基地局によって常に実行される多数回の検出によって引き起こされる処理負荷もまた、回避され得る。
【００７８】
図8を参照すると、図8は、本発明の一実施形態において提供される、アップリンク信号を検出するための別の方法のフローチャートである。図8に示す方法では、UEはマクロ基地局によってサービスされ、UEはマイクロ基地局のダウンリンクカバレージエリアの外側でかつマイクロ基地局のダウンリンクカバレージエリアの境界に位置し、マクロ基地局およびマイクロ基地局は同期されたクロックレートを有し、マクロ基地局のアップリンク受信窓とマイクロ基地局のアップリンク受信窓との間に固定時間差t1が存在し、|t1|≧0であること、が仮定される。図8に示すように、アップリンク信号を検出するための方法は、以下のステップを含み得る。
【００７９】
801:マクロ基地局はTA更新メッセージをUEに送信し、TA更新メッセージは、マクロ基地局によって割り振られたTAをオリジナルのTAの1/2に減少させるようにUEに命令するために使用される。
【００８０】
一実施形態では、TA更新メッセージはまた、マクロ基地局によって割り振られたTAを別の数値に適宜に減少させるようにUEに命令し得る。
【００８１】
802:UEは、マクロ基地局によって割り振られたTAをオリジナルのTAの1/2に減少させ、減少されたTAに従ってアップリンク信号を送信する。
【００８２】
803:マイクロ基地局とマクロ基地局とのクロックが完全に整合する場合、すなわち|t1|=0の場合、マイクロ基地局は、マイクロ基地局のアップリンク受信窓内で(または、マイクロ基地局のアップリンク受信窓と同じであるマクロ基地局のアップリンク受信窓内で)アップリンク信号を検出し、マイクロ基地局とマクロ基地局とのクロックが完全に整合しない場合、すなわち|t1|≠0の場合、マイクロ基地局は、マクロ基地局のアップリンク受信窓(この時点で、マクロ基地局のアップリンク受信窓とマイクロ基地局のアップリンク受信窓との間に固定時間差t1が存在する)内でアップリンク信号を検出する。
【００８３】
804:マイクロ基地局は、検出されたアップリンク信号(またはアップリンク信号に関する関連情報)をマクロ基地局に送信し、それにより、マクロ基地局は、マイクロ基地局に対してアップリンク干渉を引き起こすユーザ機器を識別し、それゆえ干渉を排除することができる。
【００８４】
随意の実施様式として、図8に示すアップリンク信号を検出するための方法では、UEが、減少されたTAに従ってアップリンク信号を送信した後、マクロ基地局は、減少されたTAを調整して前に割り振られたTA(すなわち、標準状態においてマクロ基地局によってUEに割り振られたTA)にするようにUEに命令するために、TA更新コマンドまたは他の新しいシグナリングを採用し得る。
【００８５】
随意の実施様式として、図8に示すアップリンク信号を検出するための方法では、アップリンク信号は、アップリンクSRS、アップリンクPreamble、およびアップリンクDMRSのうちの任意の1つであってよい。このことは本発明の実施形態に限定されるものではない。
【００８６】
実際の適用例では、UEはマクロ基地局から遠いので、マクロ基地局によってUEに割り振られたTA(すなわち、標準状態においてマクロ基地局によってUEに割り振られたTA)は、概して大きく、UEはマイクロ基地局に近いので、マクロ基地局によって割り振られたTAに従ってUEによって送信されたアップリンク信号は、マイクロ基地局の受信窓の始点より前にマイクロ基地局に到達する。それにより、マイクロ基地局は、UEによって送信されたアップリンク信号を検出し得ないことがある。しかしながら、図8に示すアップリンク信号を検出するための方法では、マクロ基地局によって送信されたTA更新メッセージの命令に従って、マクロ基地局によって割り振られたTAをオリジナルのTAの1/2または別の数値に減少させた後、UEは、減少されたTAに従ってアップリンク信号を送信する。それにより、UEによって送信されたアップリンク信号が、マイクロ基地局のアップリンク受信窓内かまたはマクロ基地局のアップリンク受信窓内でマイクロ基地局によって検出されることが確実にされ得る。
【００８７】
図9を参照すると、図9は、本発明の一実施形態において提供されるアップリンク信号を検出するためのデバイスの構造図であり、アップリンク信号を検出するためのデバイスは、マイクロ基地局内に適用される。図9に示すように、アップリンク信号を検出するためのデバイスは、検出ユニット901と、制御ユニット902と、送信ユニット903とを含み得る。
検出ユニット901は、アップリンク信号がマクロ基地局のアップリンク受信窓内で受信されるかどうかを、アップリンク信号を送信するためのUEの構成情報に従って検出するように構成され、マクロ基地局およびマイクロ基地局は同期されたクロックレートを有し、マクロ基地局のアップリンク受信窓とマイクロ基地局のアップリンク受信窓との間に固定時間差t1が存在し、|t1|≧0である。
【００８８】
一実施形態では、UEは、マクロ基地局によってサービスされ得、UEは、マイクロ基地局のダウンリンクカバレージエリアの外側でかつマイクロ基地局のダウンリンクカバレージエリアの境界に位置し得る。
【００８９】
制御ユニット902は、アップリンク信号がマクロ基地局のアップリンク受信窓内で受信されないことを検出ユニット901が検出すると、マクロ基地局のアップリンク受信窓を少なくとも1CPの長さだけ進ませるように構成される。
【００９０】
検出ユニット901は、制御ユニット902がマクロ基地局のアップリンク受信窓を少なくとも1CPの長さだけ進ませた後、アップリンク信号を検出するようにさらに構成される。
【００９１】
送信ユニット903は、検出ユニット901によって検出されたアップリンク信号をマクロ基地局に送信するように構成される。
【００９２】
マイクロ基地局内に適用された、アップリンク信号を検出するためのデバイスの、送信ユニット903によって送信された、アップリンク信号を受信した後、マクロ基地局は、アップリンク信号を送信するUEがマイクロ基地局に対してアップリンク干渉を引き起こすことを識別し得る。すなわち、そのUEは、マイクロ基地局のアップリンク干渉源であり、この時点で、マクロ基地局は、UEの干渉を排除し得る。
【００９３】
一実施形態では、図9に示すアップリンク信号を検出するためのデバイスはまた、受信ユニット904を含み得、受信ユニット904は、UEによって送信されたアップリンク信号に関する、マクロ基地局によって送信された、構成情報を受信し、構成情報を検出ユニット902に出力するように構成される。
【００９４】
一実施形態では、アップリンク信号に関する構成情報は、少なくとも、アップリンク信号の送信周波数チャネルを含み得、すなわち、アップリンク信号に関する構成情報は、少なくとも、アップリンク信号の送信リソースを含み得る。
【００９５】
随意の実施様式として、図9に示すアップリンク信号を検出するためのデバイスでは、アップリンク信号は、アップリンクSRS、アップリンクPreamble、およびアップリンクDMRSのうちの任意の1つであってよい。このことは本発明の実施形態に限定されるものではない。
【００９６】
図9に示すアップリンク信号を検出するためのデバイスに基づいて、マイクロ基地局は、UEによって送信されたアップリンク信号を効率的に検出する。それにより、マクロ基地局は、マイクロ基地局に対してアップリンク干渉を引き起こすUEを識別し、それゆえ干渉を排除することができる。一方、本発明の実施形態では、すべてのリソースに対してマイクロ基地局によって常に実行される多数回の検出によって引き起こされる処理負荷もまた、回避され得る。
【００９７】
図10を参照すると、図10は、本発明の一実施形態において提供されるユーザ機器の構造図である。図10に示すユーザ機器は、マクロ基地局によってサービスされ、ユーザ機器は、マイクロ基地局のダウンリンクカバレージエリアの外側でかつマイクロ基地局のダウンリンクカバレージエリアの境界に位置する。マクロ基地局およびマイクロ基地局は同期されたクロックレートを有し、マクロ基地局のアップリンク受信窓とマイクロ基地局のアップリンク受信窓との間に固定時間差t1が存在し、|t1|≧0である。図10に示すように、UEは、受信ユニット1001と、制御ユニット1002と、送信ユニット1003とを含み得る。
受信ユニット1001は、マクロ基地局によって送信されたTA更新メッセージを受信するように構成され、TA更新メッセージは、マクロ基地局によってユーザ機器に割り振られたTA(すなわち、標準状態においてマクロ基地局によってユーザ機器に割り振られたTA)をプリセットされたTAに減少させるように命令するために使用される。
制御ユニット1002は、マクロ基地局によって割り振られたTAを、プリセットされたTAに減少させるように構成される。
送信ユニット1003は、制御ユニット1002がマクロ基地局によって割り振られたTAをプリセットされたTAに減少させた後、プリセットされたTAに従ってアップリンク信号を送信するように構成される。それにより、マイクロ基地局は、アップリンク信号を送信するための送信ユニット1003の構成情報に従って、マクロ基地局のアップリンク受信窓内でアップリンク信号を検出してアップリンク信号をマクロ基地局に送信し、マクロ基地局は、アップリンク信号を送信するUEがマイクロ基地局に対してアップリンク干渉を引き起こすことを識別し、それゆえ、UEの干渉を排除することができる。
【００９８】
随意の実施様式として、図10に示すユーザ機器において、アップリンク信号は、アップリンクSRS、アップリンクPreamble、およびアップリンクDMRSのうちの任意の1つであってよい。このことは本発明の実施形態に限定されるものではない。
【００９９】
図10に示すユーザ機器に基づいて、マイクロ基地局は、ユーザ機器によって送信されたアップリンク信号を効率的に検出する。それにより、マクロ基地局は、ユーザ機器がマイクロ基地局に対してアップリンク干渉を引き起こすことを識別し、それゆえ、マクロ基地局は、ユーザ機器の干渉を排除することができる。一方、図10に示すユーザ機器に基づいて、すべてのリソースに対してマイクロ基地局によって常に実行される多数回の検出によって引き起こされる処理負荷もまた、回避され得る。
【０１００】
図11を参照すると、図11は、本発明の一実施形態において提供される、アップリンク信号を検出するためのシステムの構造図である。図11に示すように、アップリンク信号を検出するためのシステムは、ユーザ機器1101と、マイクロ基地局1102と、マクロ基地局1103とを含み得る。ユーザ機器1101は、マクロ基地局1103によってサービスされ、ユーザ機器1101は、マイクロ基地局1102のダウンリンクカバレージエリアの外側でかつマイクロ基地局1102のダウンリンクカバレージエリアの境界に位置する。マクロ基地局1103およびマイクロ基地局1102は同期されたクロックレートを有し、マクロ基地局1103のアップリンク受信窓とマイクロ基地局1102のアップリンク受信窓との間に固定時間差t1が存在し、|t1|≧0である。
【０１０１】
図11に示すアップリンク信号を検出するためのシステムでは、マイクロ基地局1102は、図9に示す構造を有するアップリンク信号を検出するためのデバイス(図11に示さず)を含む。
【０１０２】
図11に示すアップリンク信号を検出するためのシステムでは、ユーザ機器1101は、アップリンク信号を送信するように構成される。すなわち、ユーザ機器1101は、マクロ基地局1103によって割り振られたTAに従ってアップリンク信号を送信する。
【０１０３】
図11に示すアップリンク信号を検出するためのシステムでは、マクロ基地局1103は、ユーザ機器1101によって送信され、マイクロ基地局1102によって検出されたアップリンク信号を受信し、ユーザ機器1101をマイクロ基地局1102の干渉源として識別するように構成される。さらに、マクロ基地局1103は、ユーザ機器1101の干渉を排除し得る。
【０１０４】
図11に示すアップリンク信号を検出するためのシステムでは、マイクロ基地局1102は、ユーザ機器1101によって送信されたアップリンク信号を効率的に検出する。それにより、マクロ基地局1103は、ユーザ機器1101がマイクロ基地局1102に対してアップリンク干渉を引き起こすことを識別し、それゆえ、マクロ基地局1103は、ユーザ機器1101の干渉を排除することができる。一方、図11に示すアップリンク信号を検出するためのシステムに基づいて、すべてのリソースに対してマイクロ基地局1102によって常に実行される多数回の検出によって引き起こされる処理負荷もまた、回避され得る。
【０１０５】
図12を参照すると、図12は、本発明の一実施形態において提供される、アップリンク信号を検出するための別のシステムの構造図である。図12に示すように、アップリンク信号を検出するためのシステムは、マイクロ基地局1201と、マクロ基地局1202と、ユーザ機器1203とを含み得、ユーザ機器1203の構造は図10に示され、図10は本発明の実施形態の明細書において再度説明しない。ユーザ機器1203は、マクロ基地局1202によってサービスされ、ユーザ機器1203は、マイクロ基地局1201のダウンリンクカバレージエリアの外側でかつマイクロ基地局1201のダウンリンクカバレージエリアの境界に位置する。マクロ基地局1202およびマイクロ基地局1201は同期されたクロックレートを有し、マクロ基地局1202のアップリンク受信窓とマイクロ基地局1201のアップリンク受信窓との間に固定時間差t1が存在し、|t1|≧0である。
【０１０６】
マクロ基地局1202は、TA更新メッセージをユーザ機器1203に送信するように構成され、TA更新メッセージは、マクロ基地局1202によってユーザ機器1203に割り振られたTAを、プリセットされたTAに減少させ、ユーザ機器1203によって送信されかつマイクロ基地局1201によって検出されたアップリンク信号を受信し、ユーザ機器1203をマイクロ基地局1201の干渉源として識別するように命令するために使用される。
【０１０７】
マイクロ基地局1201は、ユーザ機器1203によって送信されたアップリンク信号に関する構成情報に従ってマクロ基地局1202のアップリンク受信窓内でアップリンク信号を検出し、アップリンク信号をマクロ基地局1202に送信するように構成される。
【０１０８】
図12に示すアップリンク信号を検出するためのシステムでは、マイクロ基地局1201は、ユーザ機器1203によって送信されたアップリンク信号を効率的に検出する。それにより、マクロ基地局1202は、ユーザ機器1203がマイクロ基地局1201に対してアップリンク干渉を引き起こすことを識別し、それゆえ、マクロ基地局1203は、ユーザ機器1203の干渉を排除することができる。一方、図12に示すアップリンク信号を検出するためのシステムに基づいて、すべてのリソースに対してマイクロ基地局1202によって常に実行される多数回の検出によって引き起こされる処理負荷もまた、回避され得る。
【０１０９】
上記の実施形態における方法のステップの全部または一部は、関連ハードウェアに命令するプログラムによって実施され得ることは、当業者には理解されよう。プログラムは、コンピュータ可読記憶媒体内に記憶され得、記憶媒体には、フラッシュドライブ、読取り専用メモリ(Read-Only Memory, ROM)、ランダムアクセスメモリ(Random Access Memory, RAM)、磁気ディスク、または光ディスクが含まれ得る。
【０１１０】
本発明の実施形態によって提供される、アップリンク信号を検出するための方法ならびに関連するデバイスおよびシステムを、上記で詳細に紹介した。本発明の原理および実施態様を、特定の例を通して本明細書で説明している。実施形態に関する説明は、本発明の方法およびコアアイデアの理解を容易にするために提供されているにすぎない。当業者は、本発明のアイデアに従って、特定の実施態様および適用例の範囲に関して、本発明に対する変形形態を作成可能である。それゆえ、本明細書は、本発明に対する限定と解釈されるべきではない。
【符号の説明】
【０１１１】
901  検出ユニット
902  制御ユニット
903  送信ユニット
904  受信ユニット
1001  受信ユニット
1002  制御ユニット
1003  送信ユニット
1101  ユーザ機器
1102  マイクロ基地局
1103  マクロ基地局
1201  マイクロ基地局
1202  マクロ基地局
1203  ユーザ機器
【図１】
2015520998.tif 000003
【図２】
2015520998.tif 000004
【図３】
2015520998.tif 000005
【図４】
2015520998.tif 000006
【図５】
2015520998.tif 000007
【図６】
2015520998.tif 000008
【図７】
2015520998.tif 000009
【図８】
2015520998.tif 000010
【図９】
2015520998.tif 000011
【図１０】
2015520998.tif 000012
【図１１】
2015520998.tif 000013
【図１２】
2015520998.tif 000014
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
アップリンク信号を検出するための方法であって、
アップリンク信号がマクロ基地局のアップリンク受信窓内で受信されるかどうかを、前記アップリンク信号を送信するためのユーザ機器の構成情報に従って、マイクロ基地局によって検出するステップであって、前記マクロ基地局および前記マイクロ基地局が同期されたクロックレートを有し、前記マクロ基地局の前記アップリンク受信窓と前記マイクロ基地局のアップリンク受信窓との間に固定時間差t1が存在し、|t1|≧0であるステップと、
前記アップリンク信号が前記マクロ基地局の前記アップリンク受信窓内で受信されないことが検出される場合、前記マイクロ基地局が前記マクロ基地局の前記アップリンク受信窓を少なくとも1サイクリックプレフィックスの長さだけ進ませた後、前記アップリンク信号を前記マイクロ基地局によって再び検出し、前記アップリンク信号を前記マクロ基地局に送信するステップとを含む、方法。
【請求項２】
前記マクロ基地局によって送信された前記構成情報を、前記マイクロ基地局によって受信するステップをさらに含み、前記アップリンク信号が前記マクロ基地局の前記アップリンク受信窓内で受信されるかどうかを検出するために、前記構成情報が使用される、請求項1に記載の方法。
【請求項３】
前記アップリンク信号に関する前記構成情報が、少なくとも、前記アップリンク信号の送信周波数を含む、請求項1または2に記載の方法。
【請求項４】
前記アップリンク信号が、アップリンクサウンディング参照信号、アップリンクプリアンブル、またはアップリンク復調参照信号を含む、請求項1、2または3に記載の方法。
【請求項５】
アップリンク信号を検出するための方法であって、
マクロ基地局によって送信されるタイミングアドバンス更新メッセージをユーザ機器によって受信するステップであって、前記タイミングアドバンス更新メッセージが、前記マクロ基地局によって前記ユーザ機器に割り振られたタイミングアドバンスを、プリセットされたタイミングアドバンスに減少させるように命令するために使用されるステップと、
前記ユーザ機器が、前記マクロ基地局によって割り振られた前記タイミングアドバンスを、前記プリセットされたタイミングアドバンスに減少させた後、前記プリセットされたタイミングアドバンスに従ってアップリンク信号を、前記ユーザ機器によって送信するステップとを含み、それにより、マイクロ基地局が、前記アップリンク信号を送信するための前記ユーザ機器の構成情報に従って前記マクロ基地局のアップリンク受信窓内で前記アップリンク信号を検出して前記アップリンク信号を前記マクロ基地局に送信し、前記マクロ基地局および前記マイクロ基地局が同期されたクロックレートを有し、前記マクロ基地局の前記アップリンク受信窓と前記マイクロ基地局のアップリンク受信窓との間に固定時間差t1が存在し、|t1|≧0である、方法。
【請求項６】
前記アップリンク信号に関する前記構成情報が、少なくとも、前記アップリンク信号の送信周波数を含む、請求項5に記載の方法。
【請求項７】
前記アップリンク信号が、アップリンクサウンディング参照信号、アップリンクプリアンブル、またはアップリンク復調参照信号を含む、請求項5または6に記載の方法。
【請求項８】
マイクロ基地局内に適用される、アップリンク信号を検出するためのデバイスであって、
アップリンク信号がマクロ基地局のアップリンク受信窓内で受信されるかどうかを、前記アップリンク信号を送信するためのユーザ機器の構成情報に従って検出するように構成された検出ユニットであって、前記マクロ基地局および前記マイクロ基地局が同期されたクロックレートを有し、前記マクロ基地局の前記アップリンク受信窓と前記マイクロ基地局のアップリンク受信窓との間に固定時間差t1が存在し、|t1|≧0である、検出ユニットと、
前記アップリンク信号が前記マクロ基地局の前記アップリンク受信窓内で受信されないことを前記検出ユニットが検出すると、前記マクロ基地局の前記アップリンク受信窓を少なくとも1サイクリックプレフィックスの長さだけ進ませるように構成された制御ユニットであって、
前記制御ユニットが、前記マクロ基地局の前記アップリンク受信窓を少なくとも1サイクリックプレフィックスの前記長さだけ進ませた後、前記検出ユニットが前記アップリンク信号を再び検出するようにさらに構成される、制御ユニットと、
前記検出ユニットによって検出された前記アップリンク信号を前記マクロ基地局に送信するように構成された送信ユニットとを備える、デバイス。
【請求項９】
前記マクロ基地局によって送信された前記構成情報を受信し、前記構成情報を前記検出ユニットに出力するように構成された受信ユニットをさらに備え、前記アップリンク信号が前記マクロ基地局の前記アップリンク受信窓内で受信されるかどうかを検出するために、前記構成情報が使用される、請求項8に記載のデバイス。
【請求項１０】
前記アップリンク信号を送信するための前記ユーザ機器の前記構成情報が、少なくとも、前記アップリンク信号を送信するための前記ユーザ機器の送信周波数を含む、請求項8または9に記載のデバイス。
【請求項１１】
前記ユーザ機器によって送信される前記アップリンク信号が、前記ユーザ機器によって送信されるアップリンクサウンディング参照信号、アップリンクプリアンブル、またはアップリンク復調参照信号を含む、請求項8、9または10に記載のデバイス。
【請求項１２】
マクロ基地局によって送信されたタイミングアドバンス更新メッセージを受信するように構成された受信ユニットであって、前記タイミングアドバンス更新メッセージが、前記マクロ基地局によってユーザ機器に割り振られたタイミングアドバンスを、プリセットされたタイミングアドバンスに減少させるように命令するために使用される、受信ユニットと、
前記マクロ基地局によって割り振られた前記タイミングアドバンスを、前記プリセットされたタイミングアドバンスに減少させるように構成された制御ユニットと、
前記制御ユニットが、前記マクロ基地局によって割り振られた前記タイミングアドバンスを、前記プリセットされたタイミングアドバンスに減少させた後、前記プリセットされたタイミングアドバンスに従ってアップリンク信号を送信するように構成された送信ユニットとを備え、それにより、マイクロ基地局が、前記アップリンク信号を送信するための前記送信ユニットの構成情報に従って前記マクロ基地局のアップリンク受信窓内で前記アップリンク信号を検出して前記アップリンク信号を前記マクロ基地局に送信し、前記マクロ基地局および前記マイクロ基地局が同期されたクロックレートを有し、前記マクロ基地局の前記アップリンク受信窓と前記マイクロ基地局のアップリンク受信窓との間に固定時間差t1が存在し、|t1|≧0である、ユーザ機器。
【請求項１３】
前記アップリンク信号を送信するために使用される前記構成情報が、少なくとも、前記アップリンク信号を送信するために使用される送信周波数を含む、請求項12に記載のユーザ機器。
【請求項１４】
前記アップリンク信号が、アップリンクサウンディング参照信号、アップリンクプリアンブル、およびアップリンク復調参照信号のうちの任意の1つを含む、請求項12または13に記載のユーザ機器。
【請求項１５】
アップリンク信号を検出するためのシステムであって、
ユーザ機器と、マイクロ基地局と、マクロ基地局とを備え、
前記ユーザ機器が前記マクロ基地局によってサービスされ、前記ユーザ機器が前記マイクロ基地局のダウンリンクカバレージエリアの外側でかつ前記マイクロ基地局の前記ダウンリンクカバレージエリアの境界に位置し、前記マクロ基地局および前記マイクロ基地局が同期されたクロックレートを有し、前記マクロ基地局のアップリンク受信窓と前記マイクロ基地局のアップリンク受信窓との間に固定時間差t1が存在し、|t1|≧0であり、
前記マイクロ基地局が、請求項8から11のいずれか一項に記載のアップリンク信号を検出するための前記デバイスを備え、
前記ユーザ機器が、アップリンク信号を送信するように構成され、
前記マクロ基地局が、前記ユーザ機器によって送信され、前記マイクロ基地局によって検出された前記アップリンク信号を受信するように構成される、システム。
【請求項１６】
アップリンク信号を検出するためのシステムであって、
マイクロ基地局と、マクロ基地局と、請求項12から14のいずれか一項に記載のユーザ機器とを備え、
前記ユーザ機器が前記マクロ基地局によってサービスされ、前記ユーザ機器が前記マイクロ基地局のダウンリンクカバレージエリアの外側でかつ前記マイクロ基地局の前記ダウンリンクカバレージエリアの境界に位置し、前記マクロ基地局および前記マイクロ基地局が同期されたクロックレートを有し、前記マクロ基地局のアップリンク受信窓と前記マイクロ基地局のアップリンク受信窓との間に固定時間差t1が存在し、|t1|≧0であり、
前記マクロ基地局が、前記マクロ基地局によって前記ユーザ機器に割り振られたタイミングアドバンスを、プリセットされたタイミングアドバンスに減少させるように命令するために使用されるタイミングアドバンス更新メッセージを前記ユーザ機器に送信し、かつ前記ユーザ機器によって送信されて前記マイクロ基地局によって検出された前記アップリンク信号を受信するように構成され、
前記マイクロ基地局が、前記ユーザ機器によって送信された前記アップリンク信号に関する構成情報に従って前記マクロ基地局の前記アップリンク受信窓内で前記アップリンク信号を検出し、前記アップリンク信号を前記マクロ基地局に送信するように構成される、システム。
【手続補正２】
【補正対象書類名】明細書
【補正対象項目名】００９３
【補正方法】変更
【補正の内容】
【００９３】
一実施形態では、図9に示すアップリンク信号を検出するためのデバイスはまた、受信ユニット904を含み得、受信ユニット904は、UEによって送信されたアップリンク信号に関する、マクロ基地局によって送信された、構成情報を受信し、構成情報を検出ユニット901に出力するように構成される。
【手続補正３】
【補正対象書類名】明細書
【補正対象項目名】０１０８
【補正方法】変更
【補正の内容】
【０１０８】
図12に示すアップリンク信号を検出するためのシステムでは、マイクロ基地局1201は、ユーザ機器1203によって送信されたアップリンク信号を効率的に検出する。それにより、マクロ基地局1202は、ユーザ機器1203がマイクロ基地局1201に対してアップリンク干渉を引き起こすことを識別し、それゆえ、マクロ基地局1202は、ユーザ機器1203の干渉を排除することができる。一方、図12に示すアップリンク信号を検出するためのシステムに基づいて、すべてのリソースに対してマイクロ基地局1201によって常に実行される多数回の検出によって引き起こされる処理負荷もまた、回避され得る。
【国際調査報告】
2015520998.tif 000015
2015520998.tif 000016
2015520998.tif 000017
2015520998.tif 000018